(57)【要約】【課題】  トッププレートの掃除や調理の際に、水や鍋から溢れ出た煮汁がトッププレート枠に貼付けた操作表示シートの不完全接着部位や剥がれ部から本体内の操作表示駆動部に浸入し、駆動部基板の故障や電子部品の故障，接点不良等を起こすのを防止する。【解決手段】  本体２の上面に配置されたトッププレート３と、トッププレート３の周囲を囲むトッププレート枠６と、トッププレート枠６の上面に貼り付けられた複数個の操作エンボス部１２ａを有する操作表示シート１２と、操作表示シート１２と対向するようにトッププレート枠６の下部に配置された操作表示駆動部１５を備えた加熱調理器において、トッププレート枠６の操作エンボス部１２ａと対向する位置に開口部６ｂを設け、開口部６ｂの下面で操作表示駆動部１５の上面に操作表示駆動部１５の上面を覆うようにゴム系材料からなる防水カバー２３を配置した。【選択図】図２
2008241087.tif 000002
【特許請求の範囲】
【請求項１】
本体上面に配置されたトッププレートと、該トッププレートの周囲を囲むトッププレート枠と、該トッププレート枠の上面に貼付けられた複数個の操作エンボス部を有する操作表示シートと、該操作表示シートと対向するようにトッププレート枠の下部に配置された操作表示駆動部を備えた加熱調理器において、
前記トッププレート枠の前記操作エンボス部と対向する位置に開口部を設け、該開口部の下面で前記操作表示駆動部の上面に該操作表示駆動部の上面を覆うようにゴム系材料からなる防水カバーを配置したことを特徴とする加熱調理器。
【請求項２】
前記防水カバーは、透明または半透明であることを特徴とする請求項１記載の加熱調理器。
【請求項３】
前記操作表示シートの操作エンボス部と対向するトッププレート枠の開口部直下の防水カバーに突起部を設けたことを特徴とする請求項１乃至２記載の加熱調理器。
【請求項４】
前記プレート枠の下面に取付け部材を設け、該取付け部材に操作表示駆動部を固定することを特徴とする請求項１乃至３記載の加熱調理器。
【発明の詳細な説明】
【技術分野】
【０００１】
本発明は、本体の上面に調理用の操作表示部を備えた加熱調理器に関するものである。
【背景技術】
【０００２】
一般家庭の台所等で使用される誘導加熱調理器等の加熱調理器においては、使用者が調理操作しやすいように、調理器本体のトッププレート部の前面側に調理操作表示部を配置している。
【０００３】
その一例として、特許文献１，特許文献２に記載されているものがある。
【０００４】
これらの特許文献１，特許文献２に記載されたものは、調理器本体の上面に耐熱ガラス製のトッププレートを配置し、そのトッププレートの周囲をトッププレート枠で囲み、そのトッププレート枠の前面側に複数個の開口部を設け、その開口部にキートップや制御回路基板を納めた操作部ユニットを本体の内側より嵌め込み、開口部の上面にボタンエンボス部を形成した操作表示シートを接着剤により貼り付けたものであり、調理動作や調理動作の停止を行う場合には、前記操作表示シートのボタンエンボス部を押すことによってキートップを介して制御回路基板を動作させるものである。
【０００５】
【特許文献１】特開２００４−３２７１１２号公報
【特許文献２】特開２００６−７３４２７号公報
【発明の開示】
【発明が解決しようとする課題】
【０００６】
上記従来の特許文献１，２に記載された調理操作表示部の構造では、トッププレート枠の前面側に設けた開口部の上面にボタンエンボス部を形成した操作表示シートを接着剤により貼り付け、開口部の下面にキートップや制御回路基板を納めた操作部ユニットを配置しており、操作表示シートに、掃除する際や湯沸し時、煮炊き調理時に水や吹きこぼれた湯，鍋から溢れ出た煮汁等が掛かった場合に、操作表示シートの接着剤が、開口部を通してその下面の制御回路基板の電子部品に水が浸入するのを防止する役目をしているが、その防水役である接着剤が使用環境や使用寿命、さらには操作表示シートの貼付け時のばらつき等により開口部の周囲のプレート枠に完全に密着させることが難しく、不完全接着部分が生じたり局部的に剥がれてしまう場合がある。
【０００７】
このため、前記した掃除や調理の際に、水や湯，鍋から溢れ出た煮汁が前記不完全接着部位や剥がれ部から開口部を通して操作部ユニットに浸入し、制御回路基板の故障や制御回路基板を構成する電子部品の故障，接点不良等を起こし、操作部ユニットの作動ができなくなり、製品全体として使用不能になってしまうという問題がある。
【０００８】
この問題を解決するためには、プレート枠に操作表示シートを接着する接着剤の接着力をアップさせればよいが、接着力をアップさせて完全密封の防水性能を得ることには限界があり、操作表示ユニットに外部からの水や湯，鍋から溢れ出た煮汁等、液体の浸入を防止することは極めて難しかった。
【課題を解決するための手段】
【０００９】
本発明は上記従来の課題を解決するためになされたものであり、請求項１に記載された発明では、本体上面に配置されたトッププレートと、該トッププレートの周囲を囲むトッププレート枠と、該トッププレート枠の上面に貼付けられた複数個の操作エンボス部を有する操作表示シートと、該操作表示シートと対向するようにトッププレート枠の下部に配置された操作表示駆動部を備えた加熱調理器において、前記トッププレート枠の前記操作エンボス部と対向する位置に開口部を設け、該開口部の下面で前記操作表示駆動部の上面に該操作表示駆動部の上面を覆うようにゴム系材料からなる防水カバーを配置したものである。
【００１０】
請求項２に記載された発明では、前記防水カバーを透明または半透明としたものである。
【００１１】
請求項３に記載された発明では、前記操作表示シートの操作エンボス部と対向するトッププレート枠の開口部直下の防水カバーに突起部を設けたものである。
【００１２】
請求項４に記載された発明では、前記プレート枠の下面に取付け部材を設け、該取付け部材に操作表示駆動部を一体に連結するものである。
【発明の効果】
【００１３】
本発明の請求項１によれば、操作表示駆動部の上面を覆うようにゴム系材料からなる防水カバーを配置したので、トッププレートに貼付けられた操作表示シートの接着剤の破壊や貼付け作業の不備等で接着剤の剥がれ部位から開口部を通して水や湯，鍋から溢れた煮汁等の液体が滴下しても防水カバーによって操作表示駆動部への浸入が阻止され、操作表示駆動部の動作不良等を防止することができ、製品の品質を守ることができる。
【００１４】
また、本発明の請求項２によれば、防水カバーを透明または半透明にすることにより、操作表示駆動部に配置される表示灯や液晶表示器等の表示を遮ることなく操作表示シートの表示部に表示することができ、従来と同様の各種電子表示部品を用いてそのまま使用することができる。
【００１５】
また、本発明の請求項３によれば、前記操作表示シートの操作エンボス部と対向するトッププレート枠の開口部直下の防水カバーに突起部を設けたので、操作エンボス部の押し下げ力を防水カバーを通して前記操作表示駆動部に正確に伝えることができる。
【００１６】
さらに、本発明の請求項４によれば、操作表示シートと操作表示駆動部との間に防水カバーを介在しても、操作表示シートの操作エンボス部と操作表示駆動部とが正しく組み立てられ、操作エンボス部の押し下げ力を正確に操作表示駆動部に伝えることができる。
【発明を実施するための最良の形態】
【００１７】
以下本発明の実施例について、図１から図５を参照して説明する。
【００１８】
図１は調理台の上に設置された据え置きタイプの誘導加熱調理器を示しており、１は調理台、２は誘導加熱調理器の本体である。
【００１９】
３は耐熱ガラス等からなるトッププレートで、本体２の上面に配置され、中央を境にして左側と右側に調理鍋を載置する左載置部４，右載置部５が形成され、該載置部４，５と対応した本体２内の上部には誘導加熱コイル（図示せず）が配置されている。
【００２０】
６はトッププレート枠で、トッププレート３を囲むように本体２の上面周囲に設けられている。
【００２１】
７，８はトッププレート枠６の後方の右側と左側に設けた吸気口および排気口である。
【００２２】
９は魚焼き装置で、本体２内の下部左側に配置されており、前面から魚等の出し入れができる。１０は開閉式のフロント操作部で、本体２の前面で前記魚焼き装置９の右側に配置され、主に魚焼き装置９の調理時に使用する。なお、魚焼き装置９とフロント操作部
１０は左右が逆でもよい。
【００２３】
１１は操作表示部で、トッププレート枠６の前面に横長に配置されており、使用者が主に左載置部４，右載置部５上で湯沸しや煮物，揚げ物等の調理を行う時に操作し、かつ、その調理設定状況や進行状況等を表示するものである。
【００２４】
以下、その操作表示部１１の詳細について説明する。
【００２５】
６ａはトッププレート枠６の前面に形成された横長の表示シート貼付部で、トッププレート枠６の上面を凹状に窪ませて形成している。
【００２６】
１２は操作表示シートで、図５に示すように、裏面に接着剤（接着紙）１２ｃが一体に塗布等されており、この接着剤１２ｃにより表示シート貼付部６ａの凹状部内に密着するように貼り付けられている。
【００２７】
また、この操作表示シート１２の下部側と上部側には、横長方向に沿って複数個の操作エンボス部１２ａと表示部１２ｂが適宜間隔を保持して形成されており、前記操作エンボス部１２ａは凸状をなしており、この凸状部を押し下げることによって後記する操作表示駆動部１５の各種スイッチボタンを押し下げる。
【００２８】
６ｂは表示シート貼付部６ａに設けられた開口部で、操作表示シート１２の操作エンボス部１２ａと対向した位置に開口しており、操作エンボス部１２ａの押し下げ力がスムーズに後記操作表示駆動部１５側に伝わる役目をする。
【００２９】
１３は取付け部材で、トッププレート枠６の表示シート貼付部６ａの下面左右および略中間に取付ねじ１４によって取付けられており、その下面に下記する操作表示駆動部１５を取付ねじ２５によって締め付け、固定する。
【００３０】
操作表示駆動部１５は、図３に示すように、駆動部収納ケース１６に左右二個に分割した駆動部基板１７を組み込み、その上面の前記表示部１２ｂと対向した位置にＬＥＤよりなる表示灯１８ａ，液晶表示器１８ｂを取付け、その近傍に表示灯１８ａの配線カードケーブル／コネクタ１９，配線部品／コネクタ２０等の配線部材を組み込み、それらの配線部材を配線用穴２１を通して駆動部収納ケース１６の底部から下側に出し、上記した誘導加熱コイル等の各種部品に配線する。
【００３１】
また、操作表示駆動部１５は、操作表示シート１２の操作エンボス部１２ａと対向した位置に各種の操作入力ボタン２２が設けられており、操作エンボス部１２ａの押し下げ力はこの操作入力ボタン２２を介して駆動部基板１７に伝達される。なお、前記した駆動部基板１７は、一枚の基板であってもよく、また、三分割，四分割してもよい。
【００３２】
２３は柔軟性のあるゴム系材料からなる防水カバーで、透明または半透明のものが用いられ、周囲及び縦横に補強用のリブ２３ａが施され、前記操作表示シート１２の操作エンボス部１２ａと対向するトッププレート枠６の開口部直下に突起部２３ｂを設け、左右に二分割された操作表示駆動部１５の駆動部基板１７を別々にその上面から覆うように配置されている。
【００３３】
すなわち、この防水カバー２３は、操作表示駆動部１５に表示灯１８ａや液晶表示器
１８ｂ，操作入力ボタン２２，配線カードケーブル／コネクタ１９，配線部品／コネクタ２０等の配線部材を組み込み、配線部材を配線用穴２１を通して駆動部収納ケース１６の底部から下側に出し、誘導加熱コイル等の各種部品に配線した後、二分割された駆動部基板１７を上から蓋をするように配置する。
【００３４】
また、この防水カバー２３は、周囲に下向きの防水案内壁２３ｃが一体に形成されており、その防水案内壁２３ｃの適宜位置に角穴２３ｄを設けて、この角穴２３ｄに駆動部収納ケース１６の側壁に設けた引っ掛け爪１６ａを引っ掛け、駆動部収納ケース１６に取付けられている。
【００３５】
そして、操作表示駆動部１５は、駆動部収納ケース１６の上面全体を防水カバー２３で覆った後、取付け部材１３に取付ねじ２５によって固定される。
【００３６】
なお、操作表示シート１２は、最後にトッププレート枠６の表示シート貼付部６ａに貼付けられる。
【００３７】
図５はその組み立て完了後の断面図を示すものである。
【００３８】
この構造によれば、操作表示駆動部１５を構成する駆動部収納ケース１６の上面に蓋をするように防水カバー２３を配置したので、トッププレート枠６の表示シート貼付部６ａに貼付けた操作表示シート１２の接着剤１２ｃの破壊や貼付け作業の不備等で、接着剤
１２ｃの剥がれ部位から開口部６ｂを通して水や湯，鍋から溢れた煮汁等の液体が操作表示駆動部１５側に滴下しても防水カバーに２３よって操作表示駆動部１５内への浸入が阻止され、駆動部収納ケース１６内に組み込まれた駆動基板１７の動作不良等を防止することができ、製品の品質を守ることができる。
【００３９】
また、本体２内の底部において、外部への排出口を適切な位置に設けることにより、トッププレート枠６の開口部６ｂから本体２内に浸入してくる水や湯，煮汁等の液体をゴムやシリコンなどの可撓性材質からなる防水カバー２３の表面から指定流れ方向に誘導する排水構造（図示せず）を設けて、本体２の外へ排出することもできる。
【００４０】
また、操作表示シート１２に形成された操作エンボス部１２ａを押した場合には、該操作エンボス部１２ａと対向して設けられた防水カバー２３の突起部２３ｂを上下に可動させ、その下部にある駆動部基板１７に配置された操作入力ボタン２２を押すことができ、操作エンボス部１２ａの押し下げ力を防水カバー２３を通して操作表示駆動部１５に正確に伝えることができる。
【００４１】
また、このとき突起部２３ｂの高さを調整することにより、駆動部基板１７の操作入力ボタン２２の操作力を容易に調整することができる。
【００４２】
さらに、補強リブ２３ａを配置することにより、前記防水カバー２３の耐久性を向上することもできる。
【００４３】
また、防水カバー２３を透明または半透明にすることにより、駆動部基板１７に配置された表示灯１８ａや液晶表示器１８ｂの表示を遮ることなく操作表示シート１２の表示部１２ｂに表示することができ、従来と同様の各種電子表示部品を用いてそのまま使用することができる。
【００４４】
さらに、防水カバー２３の角穴２３ｄに駆動部収納ケース１６の引っ掛け爪１６ａを引っ掛けることにより、防水カバー２３を確実に駆動部収納ケース１６に取付けることができる。
【図面の簡単な説明】
【００４５】
【図１】本発明の一実施例を示す誘導加熱調理器の斜視図である。
【図２】同トッププレート部の分解斜視図である。
【図３】同操作表示駆動部の斜視図である。
【図４】同駆動部収納ケースに防水カバーを取付けた状態の斜視図である。
【図５】同トッププレート部の縦断面図である。
【符号の説明】
【００４６】
２  本体
３  トッププレート
６  トッププレート枠
６ａ  表示シート貼付部
６ｂ  開口部
１１  操作表示部
１２  操作表示シート
１３  取付け部材
１５  操作表示駆動部
１６  駆動部収納ケース
１７  駆動部基板
２２  操作入力ボタン
２３  防水カバー
２３ｂ  突起部
【図１】
2008241087.tif 000003
【図２】
2008241087.tif 000004
【図３】
2008241087.tif 000005
【図４】
2008241087.tif 000006
【図５】
2008241087.tif 000007